(57)【要約】【課題】操作性が良好で、犬や猫の口腔内をすみずみまで磨くことができ、かつ床等の水平面に置いても衛生性が保たれる犬猫用口腔内清掃具を提供する。【解決手段】ハンドル部１２と、ハンドル部１２の先端に延設されたネック部１４と、ネック部１４の先端に延設されたヘッド部１６と、ハンドル部１２の後端に延設された後端延設部１８とを有するハンドル体１０を備え、ヘッド部１６には毛束２０が植設され、後端延設部１８にはスポンジ２２が設けられ、ハンドル部１２には、水平面１００に置いたときに設置状態を安定にする設置安定部２４が形成され、設置安定部２４を下にして水平面１００に置いたときに、ヘッド部１６、毛束２０およびスポンジ２２が水平面１００から離間する、犬猫用口腔内清掃具１。【選択図】図３
2015126819.tif 000002
【特許請求の範囲】
【請求項１】
ハンドル部と、前記ハンドル部の先端に延設されたネック部と、前記ネック部の先端に延設されたヘッド部と、前記ハンドル部の後端に延設された後端延設部とを有するハンドル体を備え、
前記ヘッド部には毛束が植設され、前記後端延設部には毛束以外の払拭部材が設けられ、
前記ハンドル部には、水平面に置いたときに設置状態を安定にする設置安定部が形成され、
前記設置安定部を下にして水平面に置いたときに、前記ヘッド部、前記毛束および前記の毛束以外の払拭部材が前記水平面から離間する、犬猫用口腔内清掃具。
【請求項２】
前記設置安定部が、前記ハンドル部の背面に形成されている、請求項１に記載の犬猫用口腔内清掃具。
【請求項３】
前記ハンドル部の断面形状は、後端部が多角形状で、先端部に向かって丸みを帯びた形状に変化している、請求項１または２に記載の犬猫用口腔内清掃具。
【請求項４】
前記毛束の形状が、前記ハンドル体の長さ方向に高低差のある山切り状である、請求項１〜３のいずれか一項に記載の犬猫用口腔内清掃具。
【発明の詳細な説明】
【技術分野】
【０００１】
本発明は、犬猫用口腔内清掃具に関する。
【背景技術】
【０００２】
口腔内清掃具としては、操作性、刷掃効果、利便性等を高める目的で様々なものが提案されている。例えば、以下のものが挙げられる。
（１）ヘッド部の植毛穴に毛束が植設され、ヘッド部の厚さが３ｍｍ以上４ｍｍ以下であり、植毛穴の底からヘッド部裏面までの長さが０．２ｍｍ以上２．２ｍｍ以下であり、植毛穴の深さが１．８ｍｍ以上であり、ポリアセタール樹脂で形成されている歯ブラシ（特許文献１）。
（２）細い柄の先端にスポンジが設けられた柄付き口内清掃スポンジブラシ（特許文献２）。
（３）歯ブラシの柄の後端に、歯石取り及び該歯石取りを覆うキャップが設けられた歯ブラシ（特許文献３）。
（４）歯ブラシの柄の後端に歯石除去用のピックが設けられた歯ブラシ（特許文献４）。
【０００３】
ところで、近年では飼育している犬や猫の口腔衛生についての関心が高まっている。しかし、（１）〜（４）の口腔内清掃具では、犬や猫の口腔内をすみずみまで磨くことは困難である。また、犬や猫の口腔内の清掃では、スポンジからなる指サックも利用されるが、これも犬や猫の口腔内をすみずみまで磨くことは困難である。
【０００４】
また、犬や猫の口腔内の清掃では、一般に、一方の手で犬や猫の口を開いた状態で固定しつつ、もう一方の手で口腔内清掃具により口腔内を清掃する。このように、犬や猫の口腔内の清掃では、口を固定するために片手が塞がれる。そのため、例えば２種類の口腔内清掃具を使用する場合等に、使用済みの口腔内清掃具を床等に置くことがある。この場合、使用済みの歯ブラシのヘッド部や、スポンジからなる指サック等が床等に接触して床等が唾液で汚れたり、床等の汚れがヘッド部やスポンジに付着したりすることがあり、不衛生である。
【先行技術文献】
【特許文献】
【０００５】
【特許文献１】特開平７−１４３９１４号公報
【特許文献２】特開２００５−２４５９９１号公報
【特許文献３】特開２０１１−５６２３８号公報
【特許文献４】特開２０００−１３９５７０号公報
【発明の概要】
【発明が解決しようとする課題】
【０００６】
本発明の目的は、操作性が良好で、犬や猫の口腔内をすみずみまで磨くことができ、かつ床、処置台等の水平面に置いても口腔内に挿入する部分が該水平面に接触せず衛生的である犬猫用口腔内清掃具を提供することである。
【課題を解決するための手段】
【０００７】
本発明は、以下の［１］〜［４］の構成を有する犬猫用口腔内清掃具を提供する。
［１］ハンドル部と、前記ハンドル部の先端に延設されたネック部と、前記ネック部の先端に延設されたヘッド部と、前記ハンドル部の後端に延設された後端延設部とを有するハンドル体を備え、前記ヘッド部には毛束が植設され、前記後端延設部には毛束以外の払拭部材が設けられ、前記ハンドル部には、水平面に置いたときに設置状態を安定にする設置安定部が形成され、前記設置安定部を下にして水平面に置いたときに、前記ヘッド部、前記毛束および前記の毛束以外の払拭部材が前記水平面から離間する、犬猫用口腔内清掃具。
［２］前記設置安定部が、前記ハンドル部の背面に形成されている、前記［１］の犬猫用口腔内清掃具。
［３］前記ハンドル部の断面形状は、後端部が多角形状で、先端部に向かって丸みを帯びた形状に変化している、前記［１］または［２］の犬猫用口腔内清掃具。
［４］前記毛束の形状が、前記ハンドル体の長さ方向に高低差のある山切り状である、前記［１］〜［３］のいずれかの犬猫用口腔内清掃具。
【発明の効果】
【０００８】
本発明の犬猫用口腔内清掃具は、操作性が良好で、犬や猫の口腔内をすみずみまで磨くことができ、かつ床、処置台等の水平面に置いても口腔内に挿入する部分が該水平面に接触せず衛生的である。
【図面の簡単な説明】
【０００９】
【図１】本発明の犬猫用口腔内清掃具の一例を示した側面図である。
【図２】図１の犬猫用口腔内清掃具のハンドル体の平面図である。
【図３】図１の犬猫用口腔内清掃具を水平面に置いた様子を示した側面図である。
【図４】図１の犬猫用口腔内清掃具のヘッド部の縦断面図である。
【図５】図１の犬猫用口腔内清掃具のＡ−Ａ断面図である。
【図６】図１の犬猫用口腔内清掃具のＢ−Ｂ断面図である。
【図７】図１の犬猫用口腔内清掃具のＣ−Ｃ断面図である。
【図８】図１の犬猫用口腔内清掃具のスポンジ部分の拡大平面図である。
【発明を実施するための形態】
【００１０】
以下の用語の定義は、本明細書及び特許請求の範囲にわたって適用される。
犬猫用口腔内清掃具における「正面」とは、ハンドル体のヘッド部における毛束が植設される側の面を意味する。また、「背面」とは、ハンドル体における正面の反対側、すなわちヘッド部における毛束が植設される側とは反対側の面を意味する。
「毛束」とは、複数の用毛を束ねたものを意味する。
「１ｍｉｌ」とは、０．０２５ｍｍを意味する。
【００１１】
＜犬猫用口腔内清掃具＞
以下、本発明の犬猫用口腔内清掃具の一例を示して説明する。
本実施形態の犬猫用口腔内清掃具１（以下、清掃具１とも記す。）は、図１及び図２に示すように、ハンドル部１２と、ハンドル部１２の先端に延設されたネック部１４と、ネック部１４の先端に延設されたヘッド部１６と、ハンドル部１２の後端に延設された後端延設部１８とを有するハンドル体１０を備えている。ヘッド部１６の正面１６ａには、毛束２０が植設されている。後端延設部１８にはスポンジ２２が設けられている。
清掃具１は、毛束以外の払拭部材としてスポンジを採用した例である。
【００１２】
清掃具１では、後端延設部１８に設けられたスポンジ２２を用いることで、犬や猫の歯面を効率良くしっかりと磨くことができる。また、ヘッド部１６に植設された毛束２０を用いることで、犬や猫の歯間、歯周ポケット等の隙間を効率良くしっかりと磨くことができる。このように、清掃具１では、ハンドル部１２の先端側と後端側に毛束２０とスポンジ２２がそれぞれ設けられていることで、それらを利用して犬や猫の口腔内をすみずみまで磨くことができる。
【００１３】
ハンドル部１２には、清掃具１を水平面に置いたときにその設置状態を安定にする設置安定部２４が形成されている。具体的には、この例の清掃具１では、設置安定部２４として、ハンドル部１２にその長さ方向に延びる平面部が形成されている。ハンドル部１２に平面部からなる設置安定部２４が形成されていることで、設置安定部２４を下にして清掃具１を水平面に置いたときに、清掃具１が転がることが抑制され、その設置状態が安定になる。
【００１４】
清掃具１では、設置安定部２４はハンドル部１２の背面１２ｂに形成されている。本発明では、このように設置安定部がハンドル部の背面に形成されていることが好ましい。これにより、設置安定部を下にして犬猫用口腔内清掃具を水平面に置いたときに、ヘッド部に植設された毛束が上を向く。そのため、該毛束の毛先が水平面に接触したり、毛束から唾液が垂れ落ちたりすることを抑制することが容易になり、より衛生的になる。
【００１５】
清掃具１は、図３に示すように、設置安定部２４を下にして水平面１００に置いたときに、ヘッド部１６およびスポンジ２２が水平面１００から離間するようになっている。また、清掃具１では設置安定部２４がハンドル部１２の背面１２ｂ側に設けられているため、ヘッド部１６の正面１６ａに植設された毛束２０は上向きになっており、毛束２０も水平面１００から離間している。
具体的には、ハンドル部１２が、ヘッド部１６、毛束２０およびスポンジ２２よりも背面側に突出した形状となっており、それによりハンドル部１２が水平面１００に接触した状態においてヘッド部１６、毛束２０およびスポンジ２２が水平面１００に接触しないようになっている。
【００１６】
このように、水平面１００に置いたときにヘッド部１６、毛束２０およびスポンジ２２が水平面１００から離間していることで、使用の際に清掃具１を床等に置いても、床等が唾液で汚れたり、床等の汚れが毛束２０やスポンジ２２に付着したりすることが抑制され、衛生性が保たれる。
また、前記したように設置安定部２４によって、清掃具１が回転することが抑制されているため、清掃具１が回転して毛束２０が水平面１００に接触することも抑制されており、衛生性が安定に保たれる。
【００１７】
ハンドル部１２の断面形状は、図５〜７に示すように、後端部１２ｄが矩形状で、先端部１２ｃに向かって円形状に変化している。
ハンドル部１２の先端部１２ｃの断面形状が円形状になっていることで、毛束２０により犬や猫の歯牙を磨く場合に、ハンドル部１２の先端部１２ｃをペングリップ方式で握ると、歯牙を磨きながらハンドル部１２を回転させて容易に毛束２０の向きを変えることができる。そのため、犬や猫の口を固定するために片手が塞がれている状態でも、残りの手で清掃具１の毛束２０により前歯や奥歯の歯間、歯周ポケット等を短時間でしっかりと磨くことが容易になる。
ハンドル部１２の先端部１２ｃの断面形状を円形状とする場合、ハンドル部１２を回転させて容易に毛束２０の向きを変えることができる範囲であれば、該断面形状は楕円状であってもよい。
【００１８】
また、ハンドル部１２の後端部１２ｄ側の断面形状が矩形状になっていることで、スポンジ２２によって犬や猫の歯牙を磨く際に、歯面と接触させるスポンジ２２の角度をしっかりと固定しやすくなる。そのため、犬や猫の歯面をしっかりと磨くことが容易になる。
ハンドル部の後端部の断面形状が矩形状等の多角形状である場合、握り心地が良好な点から、後端部１２ｄのように、その角部が面取りされて滑らかになっていることが好ましい。
【００１９】
ハンドル部１２の断面形状を後端部１２ｄから先端部１２ｃに向かって矩形状から円形状に変化させる場合は、その断面形状が矩形状から円形状に徐々に滑らかに変化するようにすることが好ましい。これにより、ハンドル部１２のどの部分を握る場合でも違和感がなく、操作性が良好になる。なお、ハンドル部１２の断面形状が途中で矩形状から急激に円形状に変化するようにしてもよい。
【００２０】
ハンドル部１２の先端には徐々に拡径している拡径部１２ｅが設けられている。毛束２０によって犬や猫の歯牙を磨く際、指先が拡径部１２ｅに当たるようにハンドル部１２の先端部１２ｃをペングリップ方式で握ることで、歯牙を磨いている最中に指がネック部１４側に滑ることが抑制されるため、操作性がより良好になる。
【００２１】
ハンドル部１２の後端部１２ｄには、背面１２ｂから正面１２ａに向かって凹状に曲線的に切り欠かれた切欠部２６が形成されている。スポンジ２２を用いて犬や猫の歯牙を磨く際に、切欠部２６に人差し指を添わせるようにしてハンドル部１２をペングリップ方式で握ることで、歯面と接触させる際のスポンジ２２の角度を固定することがさらに容易になる。
【００２２】
後述するようにスポンジ２２が着脱自在に設けられる場合は、後端延設部１８における先端側、すなわちハンドル部１２側には、スポンジ２２が抜け落ちることを抑制する瘤２３が設けられていることが好ましい。スポンジ２２で犬や猫の歯牙を磨く場合に、瘤２３の部分まで被せ、瘤２３の部分でスポンジ２２を指で押さえながら歯牙を磨くことで、スポンジ２２が抜け落ちることを容易に抑制できる。
【００２３】
ハンドル体１０の材質としては、例えば、ポリエステル（ポリブチレンテレフタレート（ＰＢＴ）、ポリエチレンテレフタレート（ＰＥＴ）等）、ポリアセタール（ＰＯＭ）、ポリオレフィン（ポリプロピレン（ＰＰ）、ポリエチレン（ＰＥ）等）等の樹脂が挙げられる。なかでも、剛性が高く、ヘッド部を薄くしたりネック部を細くしたりしても充分な強度が得られる点から、ＰＯＭが好ましい。
ハンドル体を形成する樹脂は、１種でもよく、２種以上でもよい。
【００２４】
清掃具１では、ヘッド部１６の正面１６ａに、３つの植毛穴２８が長さ方向に一列に形成されており、それら植毛穴２８のそれぞれに毛束２０が植設されている。
毛束２０の形状は、ハンドル体１０の長さ方向に高低差のある山切り状になっている。本発明では、この例のように、毛束の形状がハンドル体の長さ方向に高低差のある山切り状になっていることが好ましい。これにより、歯間、歯周ポケット等、口腔内をすみずみまで磨くことが容易になる。
【００２５】
この例では、図４に示すように、植毛穴２８の直径が大きく、ヘッド部１６の長さ方向に対して９０°に打ち込まれた平線３０によって太い毛束２０が植設されることで、毛束２０の形状がハンドル体１０の長さ方向に高低差のある山切り状になっている。
太い毛束２０が平線３０により植毛穴２８に植設されることで、毛束２０の直径方向における平線３０に近い側よりも遠い側の用毛が植毛穴２８内で大回りし、より多くの部分が植毛穴２８内に存在することになる。これにより、毛束２０の直径方向において平線３０から遠い用毛ほど、植毛穴２８から露出する長さ、すなわち毛丈が短くなるため、毛束２０の形状が山切り状となる。このように毛束２０を山切り状にする態様は、毛先を切り揃える必要がない。そのため、以下に示すテーパー毛を用いる場合でも、山切り状の毛束２０とすることができる。
【００２６】
毛束２０を構成する用毛としては、例えば、毛先に向かって漸次その径が小さくなり、毛先が先鋭化された用毛（テーパー毛）、植毛穴２８から毛先に向かってその径がほぼ同一である用毛（ストレート毛）等が挙げられる。なかでも、犬や猫の歯間、歯周ポケットを効率良くしっかりと磨くことができる点から、テーパー毛が好ましい。
【００２７】
用毛の材質は、例えば、ポリアミド（６−１２ナイロン（６−１２ＮＹ）、６−１０ナイロン（６−１０ＮＹ）等）、ポリエステル（ＰＥＴ、ＰＢＴ、ポリトリメチレンテレフタレート（ＰＴＴ）、ポリエチレンナフタレート（ＰＥＮ）、ポリブチレンナフタレート（ＰＢＮ）等）、ポリオレフィン（ＰＰ等）、エラストマー樹脂（ポリオレフィン系エラストマー、スチレン系エラストマー等）等が挙げられる。
これらの樹脂材料は、１種のみを使用してもよく、２種以上を併用してもよい。
また、用毛としては、芯部と該芯部の外側に設けられた少なくとも１層以上の鞘部とを有する多重芯構造を有するポリエステル製用毛を用いてもよい。
【００２８】
用毛の横断面形状は、特に限定されず、真円形、楕円形等の円形、多角形、星形、三つ葉のクローバー形、四つ葉のクローバー形等としてもよい。全ての用毛の断面形状は同じであってもよく、異なっていてもよい。
【００２９】
用毛の太さは、材質等を勘案して決定でき、横断面が円形の場合、２〜８ｍｉｌが好ましく、特に小型の犬や猫の場合には４〜６ｍｉｌがより好ましい。用毛の太さが前記下限値以上であれば、歯間や歯周ポケットの汚れを取り除くことが容易になる。用毛の太さが前記上限値以下であれば、用毛が柔らかくなるため、優しく磨くことができ、犬や猫が歯磨きを嫌がりにくくなる。
毛束２０においては、使用感、刷掃感、清掃効果、耐久性等を考慮して、太さの異なる複数本の用毛を任意に組み合わせて用いてもよい。
【００３０】
スポンジ２２としては、犬や猫の口腔内の清掃に通常用いられるスポンジを採用できる。スポンジ２２は、全体が歯ブラシとして機能するため、犬や猫の歯牙を短時間で効率的に磨くことができる。また、スポンジ２２は、歯茎にもやさしい。
スポンジ２２としては、歯間にフィットしやすく、犬や猫の歯面を効率良く磨くことができる点から、表面形状が波形になっているものが好ましい。スポンジ２２の表面は、正面側と背面側の両方が波形になっていることが好ましい。
【００３１】
また、スポンジ２２の平面形状は、図８に示すように、犬の歯並びに沿うような略瓢箪型の形状になっている。これにより、犬の歯牙をよりしっかりと磨くことが容易になっている。
スポンジ２２の平面形状は、前記した形状には限定されない。
【００３２】
スポンジ２２は、後端延設部１８に着脱自在に設けられていることが好ましい。スポンジ２２が着脱自在になっていれば、スポンジ２２を取り外して洗浄することが容易になり、衛生性を保つことが容易になる。スポンジ２２を後端延設部１８に着脱自在に設ける態様としては、例えば、指サックのような袋状のスポンジ２２とし、指サックを指に着ける要領で後端延設部１８に袋状のスポンジ２２を被せて装着する態様等が挙げられる。
なお、スポンジ２２は、後端延設部１８から取り外せないようになっていてもよい。
【００３３】
清掃具１で犬や猫の口腔内を清掃する場合は、例えば、スポンジ２２によって歯面を全体的にさっと磨いた後に、毛束２０により歯間や歯周ポケット等をしっかり磨くことで、犬や猫の口腔内をすみずみまで磨くことができる。
【００３４】
（各部分の寸法）
ハンドル体１０の長さ、すなわちヘッド部１６の先端から後端延設部１８の後端までの長さは、１００〜３００ｍｍが好ましい。
【００３５】
ヘッド部１６の幅は、４〜１５ｍｍが好ましく、特に小型の犬や猫用の場合は４〜１０ｍｍがより好ましい。ヘッド部１６の幅が前記下限値以上であれば、毛束２０を植設する面積を充分に確保しやすい。ヘッド部１６の幅が前記上限値以下であれば、口腔内での操作性をより高められる。
【００３６】
ヘッド部１６の長さは、８〜３０ｍｍが好ましく、特に小型の犬や猫用の場合は８〜２０ｍｍがより好ましい。ヘッド部１６の長さが前記下限値以上であれば、毛束２０を植設する面積を充分に確保しやすい。ヘッド部１６の長さが前記上限値以下であれば、口腔内での操作性をより高められる。
【００３７】
ヘッド部１６の厚さは、２〜７ｍｍが好ましく、特に小型の犬や猫用の場合は２〜５ｍｍがより好ましい。ヘッド部１６の厚さが前記下限値以上であれば、ヘッド部１６の強度をより高められる。ヘッド部１６の厚さが前記上限値以下であれば、口腔内での操作性をより高められる。
【００３８】
ネック部１４の長さは、毛束２０を用いて犬や猫の歯牙を効率良く磨きやすい点から、３０〜９０ｍｍが好ましく、特に小型の犬や猫の場合は３０〜５０ｍｍがより好ましい。
【００３９】
ネック部１４の太さは、２〜７ｍｍが好ましく、特に小型の犬や猫用の場合は２〜４ｍｍがより好ましい。ネック部１４の太さが前記下限値以上であれば、ネック部１４の強度をより高められる。ネック部１４の太さが前記上限値以下であれば、口腔内での操作性をより高められる。
【００４０】
ヘッド部１６の正面１６ａから毛束２０の先端までの長さ（毛丈）は、４〜３０ｍｍが好ましく、特に小型の犬や猫用の場合は４〜１０ｍｍがより好ましい。
毛束２０は、全てが同じ毛丈であってもよく、相互に異なっていてもよい。
【００４１】
植毛穴２８の直径は、１〜４ｍｍが好ましく、特に用毛の毛先をカットせずに平線で打ち込んで山切り状とする場合には２〜４ｍｍがより好ましい。
【００４２】
植毛穴２８の深さは、１〜５ｍｍが好ましく、特に用毛の毛先をカットせずに平線で打ち込んで山切り状とする場合には２．５〜５ｍｍがより好ましい。
【００４３】
植毛穴２８の底からヘッド部１６の背面までの長さは、０．２〜２ｍｍが好ましく、特に用毛の毛先をカットせずに平線で打ち込んで山切り状とする場合には０．２〜１．５ｍｍがより好ましい。
【００４４】
毛束２０の太さ（毛束径）は、１〜４ｍｍが好ましく、特に用毛の毛先をカットせずに平線で打ち込んで山切り状とする場合には２〜４ｍｍがより好ましい。
毛束２０の太さは、全てが同じであってもよく、相互に異なっていてもよい。
【００４５】
清掃具１を設置安定部２４を下にして水平面に置いたときのヘッド部１６と水平面との距離は、１〜１０ｍｍが好ましく、１〜５ｍｍがより好ましい。
【００４６】
清掃具１を設置安定部２４を下にして水平面に置いたときのスポンジ２２と該水平面との距離は、１〜１０ｍｍが好ましく、１〜５ｍｍがより好ましい。
【００４７】
清掃具１を設置安定部２４を下にして水平面に置いたときの後端延設部１８と該水平面との距離は、ヘッド部１６と該水平面との距離よりも長いことが好ましい。これにより、清掃具１を設置安定部２４を下にして水平面に置いたときに、後端延設部１８に設けられるスポンジ２２が該水平面に接触することを抑制することが容易になる。
【００４８】
（製造方法）
本発明の犬猫用口腔内清掃具の製造方法は、特に限定されない。例えば、清掃具１を製造する場合、ハンドル体１０を製造する方法は公知の方法を採用できる。また、ハンドル体１０のヘッド部１６に毛束２０を植設する方法としては、平線を打ち込む方法、熱溶着する方法等の公知の方法を採用できる。なかでも、テーパー毛を使用しても毛束２０を山切り状にすることができることから、平線を打ち込む方法が好ましい。
【００４９】
（作用効果）
以上説明した本発明の犬猫用口腔内清掃具にあっては、ハンドル部の先端側に毛束が植毛されたヘッド部が設けられ、後端側に毛束以外の払拭部材が設けられているため、それらを利用して犬や猫の口腔内をすみずみまで磨くことができる。また、本発明の犬猫用口腔内清掃具は、１本で毛束以外の払拭部材と毛束の２種類を用いて口腔内の清掃が可能なため、操作性も良好で犬や猫の口腔内の清掃が容易である。
また、本発明の犬猫用口腔内清掃具では、設置安定部を下にして床等の水平面に置いたときに、ヘッド部、毛束および毛束以外の払拭部材が該水平面に接触することを抑制できるため、衛生性にも優れている。
また、従来のスポンジからなる指サックを用いて犬や猫の口腔内を清掃する方法では、特に小型の犬や猫の場合に該指サックが太すぎて口に入りにくく、犬や猫が歯磨きを嫌がる傾向がある。これに対して、本発明では、ハンドル体の後端延設部の太さを細くすることで、該後端延設部に設ける毛束以外の払拭部材も細くすることができる。そのため、小型の犬や猫の口にも入りやすくすることができ、その結果、小型の犬や猫でも口腔内の清掃が容易になるうえ、犬や猫が歯磨きを嫌がりにくくなる。
【００５０】
なお、本発明の犬猫用口腔内清掃具は、前記した清掃具１には限定されない。
例えば、設置安定部は、ハンドル部における背面以外の部分に設けられていてもよい。
また、設置安定部は、ハンドル部の長さ方向に延びる平面部には限定されず、ハンドル部の設置状態を安定にできる範囲であれば、ハンドル部に部分的に平面部が形成されている態様であってもよい。また、設置安定部は、例えば、ハンドル部に突起部を設けて、該突起部によってハンドル体が転がることが抑制される態様であってもよい。
【００５１】
また、ハンドル体は、ハンドル部の断面形状が後端部から先端部に向かって丸みを帯びた形状に変化するようにする場合、先端部に向かって矩形状から円形状に変化する態様には限定されない。ハンドル部の先端部の断面形状が丸みを帯びた形状であれば、該先端部をペングリップ方式で握ったときにハンドル部を回転させて毛束の向きを変えることが容易になる。
なお、丸みを帯びた形状には、円形状以外にも、例えば、六角形等の多角形の角部を面取りして滑らかにした形状や、正八角形、正十二角形等の角部の数が多く形状が円形に近い、ハンドル部を容易に回転可能な多角形状が含まれるものとする。
また、ハンドル部の断面形状を後端部から先端部に向かって丸みを帯びた形状に変化させる場合、後端部の断面形状は、矩形状には限定されず、三角形状や五角形状でもよい。
また、ハンドル部の断面形状は、必ずしも後端部が多角形状で先端部に向かって丸みを帯びた形状に変化しているものでなくてもよい。
【００５２】
また、ヘッド部に植設される毛束のレイアウトは特に限定されない。例えば、４本以上の毛束を格子状や千鳥状に植設してもよい。
また、毛束２０の形状を山切り状にする方法は、清掃具１のようにヘッド部１６の長さ方向に対して９０°に打ち込んだ平線３０によって太い毛束２０を植設する方法には限定されない。例えば、ヘッド部に毛束を植設した後に該毛束の先端部をカットすることで山切り状としてもよい。
【００５３】
また、スポンジ２２の表面形状は、波形になっていなくてもよい。また、スポンジ２２の平面形状は、略瓢箪型になっていなくてもよく、例えば猫の歯牙を磨くのに適した形状にしてもよい。
また、本発明の犬猫用口腔内清掃具においては、毛束以外の払拭部材としてスポンジ以外の払拭部材を採用してもよい。該毛束以外の払拭部材としては、例えば、後端延設部に嵌め込むことが可能なゴム製（生ゴム製、合成ゴム製等）、合成樹脂製（シリコン製等）等の成形物；後端延設部に巻き付けられる、化繊の繊維もしくは天然繊維（木綿、綿等）からなる織物（ガーゼ、布製生地等）又は不織布；マジックテープ（登録商標）等のように、化繊の繊維もしくは天然繊維（木綿、綿等）をループ状にしたループ部が表面に多数配列された払拭部材；等が挙げられる。
【符号の説明】
【００５４】
１  犬猫用口腔内清掃具
１０  ハンドル体
１２  ハンドル部
１４  ネック部
１６  ヘッド部
１８  後端延設部
２０  毛束
２２  スポンジ
２４  設置安定部
２６  切欠部
２８  植毛穴
３０  平線
【図１】
2015126819.tif 000003
【図２】
2015126819.tif 000004
【図３】
2015126819.tif 000005
【図４】
2015126819.tif 000006
【図５】
2015126819.tif 000007
【図６】
2015126819.tif 000008
【図７】
2015126819.tif 000009
【図８】
2015126819.tif 000010